(57)【要約】【課題】  デジタルコンテンツのサイズに応じて、表示装置の重量を軽量化すること。【解決手段】  デジタルコンテンツのページ数に応じて、電池のサイズ・重量が異なっているメモリカード１０が、メモリカードスロット２０に挿入されると、メモリカード１０内の電池１２が表示装置１の電源制御回路９０に接続され、各部に必要な電力が供給され、デジタルコンテンツの表示が開始される。メモリカード１０の重さは、デジタルコンテンツ情報の容量に応じて決まるので、小容量の場合には軽いメモリカードとなり、表示装置１を軽量化することができる。【選択図】  図４
2005202752.tif 000002
【特許請求の範囲】
【請求項１】
表示状態を不揮発的に保持するディスプレイを有する表示装置に装着されることにより、不揮発性メモリに記憶している情報が該表示装置において閲覧可能となる情報提供媒体であって、
所定容量のバッテリを備え、前記不揮発性メモリに記憶された情報が閲覧される際に、前記バッテリに蓄積されている電力を前記表示装置に供給可能であることを特徴とする情報提供媒体。
【請求項２】
前記バッテリは、前記不揮発性メモリに記憶されたコンテンツデータのデータ量に対応した電力容量を有することを特徴とする請求項１記載の情報提供媒体。
【請求項３】
表示状態を不揮発的に保持するディスプレイを有する表示装置であって、
不揮発性メモリと所定容量のバッテリとを備えた情報記憶媒体を接続可能な媒体接続手段と、
前記バッテリに蓄積された電力を利用して、前記不揮発性メモリに記憶されたコンテンツデータを前記ディスプレイに表示させる表示制御手段と、
を含むことを特徴とする表示装置。
【請求項４】
表示状態を不揮発的に保持するディスプレイを有する表示装置であって、
データおよび電力の供給ラインを含む通信インターフェースと、
前記通信インターフェースにおけるデータの供給ラインを介してコンテンツデータをダウンロードする際に、前記インターフェースにおける電力の供給ラインを利用して、該コンテンツデータを閲覧するために要する電力を蓄積する電力制御手段と、
を含むことを特徴とする表示装置。
【請求項５】
前記電力制御手段は、前記コンテンツデータのデータ量に対応した電力を蓄積することを特徴とする請求項４記載の表示装置。
【請求項６】
前記電力制御手段は、前記表示装置に記憶されているコンテンツデータおよび前記電力の供給ラインを介してダウンロードされたコンテンツデータのデータ量に対応した電力を蓄積することを特徴とする請求項４記載の表示装置。
【請求項７】
自装置に蓄積されている電力と、該電力によって前記コンテンツデータを閲覧可能な回数との関係を示す情報を表示する閲覧回数表示手段をさらに含むことを特徴とする請求項３から６のいずれか１項に記載の表示装置。
【発明の詳細な説明】
【技術分野】
【０００１】
本発明は、不揮発性メモリを備えた、表示装置及び情報提供媒体に関する。
【背景技術】
【０００２】
従来、この種の表示装置に関する技術として、例えば、特許文献１に開示されたものがある。特許文献１には、デジタルコンテンツ表示として、例えば、書籍情報を表示する電子ブックについて開示が為されていて、本体を動作させる電源（電池）は本体に内蔵されていた。また、デジタルコンテンツは、メモリカード（電子ブックカード）に記録されていて、本体に挿入して使用していた。
【特許文献１】特開２００１−０７５９２５号公報
【発明の開示】
【発明が解決しようとする課題】
【０００３】
しかしながら、特許文献１に記載された技術には、以下の問題点が有った。
即ち、従来の構成では、表示手段に非記憶性の表示体を使用していたため、一つのデジタルコンテンツ（以下、単にコンテンツともいう）を読み切るのに必要な電池容量が計算できなかった。従って、読まれるコンテンツのページ数に関係なく充分な容量の電池を本体に内蔵しなければならず、１０ページのデジタルコンテンツであっても、１００００ページのデジタルコンテンツであっても、同じ電池を使用していた。このため、装置の重量が、読まれるコンテンツのページ数の多少にかかわらず重たくなってしまうという問題があった。
【０００４】
また、複数のデジタルコンテンツ（メモリカード等）を差し替えながら使うとき、あるデジタルコンテンツを読んでいる途中で電池が切れ、充電または電池交換をするために中断が入り、コンテンツを読むということに集中できなくなるという問題があった。
さらに、二次電池を使用している場合、デジタルコンテンツのサイズに関わらず、充分に（フル充電になるまで）充電をしなければならず、当該デジタルコンテンツを読み切るのに必要な最小限の時間で充電を完了する事が出来ないという問題があった。
【０００５】
このように、従来の表示装置においては、表示対象となるコンテンツのデータ量に対応させて電力を確保することができなかった。
本発明は、上記問題に鑑みてなされたもので、その目的とするところは、表示対象となるコンテンツのデータ量に対応させて電力を確保することが可能な表示装置及び情報提供媒体を提供することにある。
【課題を解決するための手段】
【０００６】
以上の目的を達成するため、本発明の情報提供媒体（例えば、図４のメモリカード１０）は、表示状態を不揮発的に保持するディスプレイ（例えば、図４の表示パネル７５）を有する表示装置（例えば、図４の表示装置１）に装着されることにより、不揮発性メモリ（例えば、図４の不揮発性メモリ１１）に記憶している情報が該表示装置において閲覧可能となる情報提供媒体であって、所定容量のバッテリ（例えば、図４の電池１２）を備え、前記不揮発性メモリに記憶された情報が閲覧される際に、前記バッテリに蓄積されている電力を前記表示装置に供給可能であることを特徴とする。
【０００７】
本発明によれば、コンテンツを記憶している不揮発性メモリと、そのコンテンツを閲覧するための電力を蓄積したバッテリとが一体とされた形で情報提供媒体を構成しているため、表示対象となるコンテンツのデータ量に対応させて電力を確保することが可能となる。
また、本発明の情報提供媒体は、前記バッテリが、前記不揮発性メモリに記憶されたコンテンツデータのデータ量に対応した電力容量を有することを特徴とする。
【０００８】
本発明によれば、コンテンツのデータ量に対応した容量のバッテリが情報提供媒体に備えられるため、表示装置の重量を、コンテンツのデータ量に対応させて、軽量化することができる。
また、本発明の表示装置は、表示状態を不揮発的に保持するディスプレイ（例えば、図４の表示パネル７５）を有する表示装置であって、不揮発性メモリ（例えば、図４の不揮発性メモリ１１）と所定容量のバッテリ（例えば、図４の電池１２）とを備えた情報記憶媒体（例えば、図４のメモリカード１０）を接続可能な媒体接続手段（例えば、図４のメモリカードスロット２０）と、前記バッテリに蓄積された電力を利用して、前記不揮発性メモリに記憶されたコンテンツデータを前記ディスプレイに表示させる表示制御手段（例えば、図４の表示駆動部７０，グラフィックアクセラレータ６０）とを含むことを特徴とする。
【０００９】
本発明によれば、コンテンツを記憶する不揮発性メモリとそのコンテンツを閲覧するための電力を有するバッテリを備える情報媒体によって表示装置にコンテンツと電力を供給するようにしたので、表示対象となるコンテンツのデータ量に対応させて電力を確保することが可能となる。また、コンテンツのデータ量に応じた容量のバッテリを備えることにより、装置の重さを最適なものとする事が出来る。即ち、データ量の少ないコンテンツであるにもかかわらず、装置が重量化することを防止できる。また、ユーザが、感触としてコンテンツの量を実感する事が出来る。
【００１０】
また、本発明の表示装置は、表示状態を不揮発的に保持するディスプレイ（例えば、図５の表示パネル７５）を有する表示装置であって、データおよび電力の供給ラインを含む通信インターフェース（例えば、図５のＵＳＢインターフェース２００）と、前記通信インターフェースにおけるデータの供給ラインを介してコンテンツデータをダウンロードする際に、前記インターフェースにおける電力の供給ラインを利用して、該コンテンツデータを閲覧するために要する電力を蓄積する電力制御手段（例えば、図５の充電回路１２０，二次電池１１０，充電量監視部１００）とを含むことを特徴とする。
【００１１】
本発明によれば、コンテンツデータを閲覧するために要する電力を表示装置に蓄積するようにしたので、表示対象となるコンテンツのデータ量に対応させて電力を確保することが可能となる。
また、本発明の表示装置は、前記電力制御手段が、前記コンテンツデータのデータ量に対応した電力を蓄積することを特徴とする。
【００１２】
本発明によれば、ダウンロードされたコンテンツのデータ量に応じて、二次電池の充電量を変えるようにしたので、充電に、必要以上の時間をかけることなく、かつ、ユーザーが、電池切れを気にすることなく安心してダウンロードされたコンテンツを見る事が出来る。
また、本発明の表示装置は、前記電力制御手段が、前記表示装置に記憶されているコンテンツデータおよび前記電力の供給ラインを介してダウンロードされたコンテンツデータのデータ量に対応した電力を蓄積することを特徴とする。
【００１３】
本発明によれば、表示装置に既に記憶されているコンテンツデータと新たにダウンロードされたコンテンツデータの総データ量に応じて、二次電池の充電量を変えるようにしたので、充電に、必要以上の時間をかけることなく、最適な充電量を二次電池に確保することができる。
また、本発明の表示装置は、自装置に蓄積されている電力と、該電力によって前記コンテンツデータを閲覧可能な回数との関係を示す情報（例えば、図８のインジケータ１５）を表示する閲覧回数表示手段（例えば、図５の充電量監視部１００，ＣＰＵ３０，表示駆動部７０，および表示パネル７５）をさらに含むことを特徴とする。
【００１４】
本発明によれば、表示装置に蓄積されている電力によって、該表示装置に蓄積されたコンテンツデータを何回閲覧できるかを表示するようにしたので、ユーザーは、電池切れを気にすることなく安心してコンテンツを見る事が出来る。
【発明を実施するための最良の形態】
【００１５】
以下、図面を参照して、本発明に係る表示装置の実施の形態について説明する。
（第１の実施の形態）
図１は、本発明の第１の実施の形態に係る表示装置の外観を示す斜視図である。尚、表示装置の外観は、説明の簡単のため図１の形態としているが、これに限定されるものではない。また、以降の説明（他の実施の形態を含む）においては、コンテンツとして、デジタル書籍を例に説明を行う。
【００１６】
図１において、本発明の表示装置１は、表示パネル７５と、メモリカードスロット２０と、ページめくり等の操作を行う操作キー群８０とを備えて構成される。
表示パネル７５は、例えば、コレステリック液晶表示体やカプセル式電気泳動表示体からなる記憶性の表示体、即ち、電源を供給し続けなくても表示を維持する表示体を用いており、ページ（コンテンツ）を表示しているときは、限りなく電力を０に近づける事が可能となっている。
【００１７】
メモリカードスロット２０は、デジタルコンテンツが入ったメモリカード１０を挿入するためのスロット（挿入口）である。
図２は、本実施の形態で使用するメモリカード１０の構成を示した図で、デジタルコンテンツを記憶する不揮発性メモリ１１と、電池１２と、表示装置１にデータ（コンテンツ）を送るメモリインタフェース（Ｉ／Ｆ）１３と、電極１４とを備えている。
【００１８】
図３は、メモリと電池を一体としたメモリカードの種類の一例を示している。電池の容量は、コンテンツのページ数に応じて最適な構成、例えば、不揮発性メモリ１１に記憶されているコンテンツを全て読み切るのに必要な電池容量となっている。即ち、メモリカード１０ａはコンテンツ１００ページ用のメモリカードであり、１０ｍＡｈ程度の電池が備えられていて、メモリカード１０ｂはコンテンツ１０００ページ用のメモリカードであり、１００ｍＡｈ程度の電池が備えられていて、メモリカード１０ｃはコンテンツ１００００ページ用のメモリカードで、１０００ｍＡｈ程度の電池がそれぞれ備えられている。コンテンツのページ数に応じて、電池のサイズ・重量が異なっている。
【００１９】
電池は一次電池でも、二次電池でも良く、ページを読み返す操作等を考慮して、全てのページを表示するのに必要な電力の１〜３倍程度含んでいる事が望ましいが、1．5倍程度がより適していると考えられる。なお、電池に蓄積される必要な電力の容量は、コンテンツの特徴（推理小説であるか、純文学であるか等）によって異なるのが一般的である。
図４は、第１の実施の形態に係る表示装置の構成を示したブロック図である。
【００２０】
図４において、表示装置１は、メモリカード１０と、メモリカードスロット２０と、ＣＰＵ（Central Processing Unit）３０と、プログラム記憶部４０と、ＲＡＭ（Random Access Memory）５０と、グラフィックアクセラレータ（ＧＡ）６０と、表示駆動部７０と、表示パネル７５と、操作キー群８０と、電源制御回路９０とを含んで構成される。
メモリカード１０は、コンテンツを記憶している不揮発性メモリ１１と、そのコンテンツを閲覧するための電力を蓄積した電池１２とが一体となって構成される。
【００２１】
メモリカードスロット２０は、メモリカード１０の不揮発性メモリ１１からデータを入力することが可能なインターフェースであると共に、メモリカード１０の電池１２より供給された電力を電源制御回路９０に伝達する。
ＣＰＵ３０は、表示装置１全体を制御するもので、操作キー群８０から入力される各種の指示信号に従って、プログラム記憶部４０に記憶された各種処理に関するプログラムを読み出して実行する。また、ＣＰＵ３０は、メモリカードスロット２０に差し込まれたメモリカード１０に記憶されているコンテンツデータを表示パネル７５に表示するための処理を行う。そして、ＣＰＵ３０は、各種処理結果を後述するＲＡＭ５０に格納する。
【００２２】
プログラム記憶部４０は、フラッシュメモリ等の不揮発性のメモリであり、表示装置１を制御するための各種プログラムを記憶している。
ＲＡＭ５０は、ＤＲＡＭ（Dynamic Random Access Memory）、ＳＲＡＭ（Static Random Access Memory）、ＦｅＲＡＭ／ＦＲＡＭ（Ferroelectric Random Access Memory）、ＭＲＡＭ（Magnetoresistive Random Access Memory）等のメモリによって構成され、ＣＰＵ３０が処理結果を実行する際にワークエリアを形成すると共に、その処理結果を記憶する。
【００２３】
ＲＡＭ５０としては、低消費電力でデータを保持可能なＳＲＡＭ等が望ましく、不揮発性のＦｅＲＡＭ／ＦＲＡＭやＭＲＡＭ等がより望ましい。
グラフィックアクセラレータ６０は、ＣＰＵ３０の命令に従って、表示パネル７５に表示する画像の描画処理を高速に行うことが可能なハードウェアである。具体的には、グラフィックアクセラレータ６０は、ＣＰＵ３０から入力されたベクトル図形をラスタ図形に展開するといった処理を行う。そして、グラフィックアクセラレータ６０は、描画処理を行った図形を表示パネル７５に描画するための描画データを表示駆動部７０に出力する。
【００２４】
表示駆動部７０は、表示パネル７５を直接制御し、グラフィックアクセラレータ６０から入力された描画データを表示パネル７５に表示させる。
具体的には、表示駆動部７０は、グラフィックアクセラレータ６０によって図形データが入力される画素書き込み部７１を備えている。そして、表示駆動部７０は、画素書き込み部７１に入力された描画データを参照して、表示パネル７５のＸドライバおよびＹドライバを駆動することにより、描画対象であるラスタ図形を表示パネル７５に表示させる。
【００２５】
表示パネル７５は、例えば、Ａ４サイズの高画素密度（多ピクセル）である表示装置によって構成され、表示駆動部７０の制御に応じて、所定画素に画素データを表示する。
また、表示パネル７５として、記憶性の表示装置（電源を切断しても表示画面が維持される表示装置）が使用される。この場合、表示画面の状態を維持するためには電力が不要となることから、表示装置１を低消費電力化することができる。
【００２６】
なお、表示パネル７５として、例えば、電気泳動ディスプレイ、コレステリック液晶ディスプレイ、帯電トナーを利用したディスプレイ、ツイストボールを利用したディスプレイあるいはエレクトロデポジションディスプレイ等が利用可能である。
操作キー群８０は、ＣＰＵ３０への信号入力を制御するインターフェースの機能を有しており、図示しない操作キーが発生する入力信号を受け取り、所定処理を施した上で、処理結果をＣＰＵ３０に出力する。
【００２７】
電源制御回路９０は、メモリカード１０よりメモリカードスロット２０を介して供給された電力の、電圧変換、電圧監視等を行うと共に、各ユニットに電力を供給する際、どのユニットに電力を供給するか等の制御を行う。
以上の構成において、メモリカード１０がメモリカードスロット２０に挿入されると、メモリカード１０内の電池１２は表示装置１の電源制御回路９０に接続され、各部に必要な電力が供給される。
【００２８】
一方、ここで使用している記憶表示体２は、既述の通り、記憶性の表示体であるので、ページの書き換え、すなわちコンテンツの、任意のページを表示した後、表示している間（何も操作を行わない間）は、電力の供給を停止しても表示が消失することは無い。これにより、ページを表示している間は、電池１２から本発明の表示装置１への電力供給を停止する事ができ、電池１２の消耗を抑えることができる。
【００２９】
その後、操作キー３（例えば、ページ送りキー）が押下されると、表示装置１へ再び電力が供給され、新しいページが表示される。
これらの構成により、電池１２の容量のみにて、コンテンツを読む速度、表示する時間に関わらず、表示できるページ数が決まることになる。すなわち、コンテンツの容量に合わせて、上述のメモリカード１０ａ，１０ｂ，１０ｃの中から最適なものを選ぶ事ができ、小容量の場合には、軽いメモリカードを選択でき、表示装置１を軽量化することができる。
【００３０】
なお、メモリカード内の電池は二次電池でも、適正容量の一次電池でも構わない。
以上述べたように、本発明の実施の形態によれば、コンテンツのページ数に応じて、装置の重さを最適にする事が出来、データ量の少ないコンテンツなのに重い装置を持ち運ばなくてもすむ。また、これは、紙の本が、ページ数の多少によって軽くなったり重くなったりするのと同じであり、ユーザーにとっても、感触としてコンテンツの量を実感する事が出来る。
【００３１】
また、本発明の実施の形態では、ユーザーに対するデジタルコンテンツの提供は、メモリカードと、それに内蔵され、当該デジタルコンテンツを読み切るのに必要な容量を有する電池の形で提供される。
（第２の実施の形態）
図５は、本発明の第２の実施の形態に係る表示装置の構成を示したブロック図である。
【００３２】
図５における表示装置６６は、ＣＰＵ３０と、プログラム記憶部４０と、ＲＡＭ（Random Access Memory）５０と、グラフィックアクセラレータ（ＧＡ）６０と、表示駆動部７０と、表示パネル７５と、充電量監視部１００と、二次電池１１０と、ＵＳＢインターフェース２００と、データ記憶部１４０とを含んで構成される。なお、図５において、図４と同一の部分には、同一の符号を付し説明は省略し、図４と構成・作用上差異のある部分のみ説明を行う。
【００３３】
データ記憶部１４０は、不揮発性のメモリ等で構成され、コンテンツデータを記憶するものである。
ＵＳＢインターフェース２００は、データ通信インターフェース１３０と、充電回路１２０とを備えており、ＵＳＢケーブルを接続可能に構成されている。データ通信インターフェース１３０を介して入力されたデータは、データ記憶部１４０の文書データ記憶部１４１に記憶される。充電回路１２０は、ＵＳＢケーブルより供給された電力を二次電池１１０に供給し、二次電池１１０の充電を行う。
【００３４】
充電量監視部１００は、二次電池１１０の充電量を監視し、ＣＰＵ３０に通知する。
ＣＰＵ３０は、データ記憶部１４０に記憶されているコンテンツデータを表示パネル７５に表示するための処理を行う。
次に、表示装置６６へのコンテンツのダウンロード方法について説明する。
図６は、表示装置６６に１つのコンテンツをダウンロードする場合の手順を示したフローチャートであり、図７は、表示装置６６に１つのコンテンツを追加してダウンロードする場合の手順を示したフローチャートである。
【００３５】
図６において、例えば、データ通信Ｉ／Ｆ１３０及び充電回路１２０を備えたＵＳＢ端子が、パソコン等のコンテンツを提供可能な装置（不図示）のＵＳＢ端子に接続されると、データ記憶部１４０の文書データ記憶部１４１内のデータがクリアされ（ステップＳ１）、データ通信Ｉ／Ｆ１３０より、コンテンツデータのダウンロード（データ転送）が開始される（ステップＳ２）。このとき、同時に、充電回路１２０から二次電池１１０への充電も開始される。尚、このステップＳ１の文書データのクリア処理は、データが上書きされる形態とすることで、省略することも可能である。
【００３６】
次に、転送データのヘッダ部の読み込みが行われる（ステップＳ３）転送データのヘッダ部にはコンテンツデータの総ページ数を示す情報が含まれている。
転送データのヘッダ部の読み込みが完了すると、ページ数がセットされ、必要な充電量が計算される（ステップＳ４）。必要な充電量とは、例えば、ダウンロードしたコンテンツのページ数を閲覧するのに要する電力に対して１．５倍分程度である。
【００３７】
続いて、データ転送の終了を待って（ステップＳ５）、二次電池１１０の現在の充電量が読み込まれ（ステップＳ６）、コンテンツのページ数に相当する電力量だけ充電されたか否かが判断される（ステップＳ７）。ここで、現在の充電量の検出が、コンテンツデータ転送の終了後に行われるのは、一般に、コンテンツデータの転送時間より、二次電池１１０への充電に要する時間のほうが長いためである。
【００３８】
そして、充電が完了すると、表示装置６６の表示パネル７５に、準備終了（コンテンツを少なくとも一度読める充電状態になったこと）を示す表示を出力して（ステップＳ８）終了する。
次に、表示装置６６に一つのコンテンツを追加してダウンロードする場合の手順について説明する。
【００３９】
図７において、例えば、データ通信Ｉ／Ｆ１３０及び充電回路１２０を備えたＵＳＢプラグが、パソコン等のコンテンツを提供可能な装置のＵＳＢ端子に接続されると、データ通信Ｉ／Ｆ１３０より、コンテンツデータのダウンロード（データ転送）が開始される（ステップＴ１）。このとき、同時に、充電回路１２０から二次電池１１０への充電も開始される。
【００４０】
次に、転送データのヘッダ部の読み込みが行われる（ステップＴ２）。これは、主に、ダウンロードされるコンテンツの総量（ページ数）を検出し、当該複数のコンテンツを読み終えるのに必要な充電量を割り出すためである。
転送データのヘッダ部の読み込みが完了すると、データ記憶部１４０の文書データ記憶部１４１に格納された既存のコンテンツのページ数が読み込まれ（ステップＴ３）、今回ダウンロードされる新しいコンテンツのページ数と加算され、総ページ数が求められて、必要な充電量が計算される（ステップＴ４）。
【００４１】
続いて、新しいコンテンツのデータ転送の終了を待って（ステップＴ５）、二次電池１１０の現在の充電量が読み込まれ（ステップＴ６）、コンテンツのページ数に相当する電力量だけ充電されたか否かが判断される（ステップＴ７）。ここで、現在の充電量の検出が、コンテンツデータ転送の終了後に行われるのは、既述した通り、一般に、コンテンツデータの転送時間より、二次電池１１０への充電に要する時間のほうが長いためである。
【００４２】
そして、充電が完了すると、表示装置６６の表示パネル７５に、準備終了（コンテンツが読める状態になったこと）を示す表示を出力して（ステップＴ８）終了する。尚、充電量は、コンテンツの総ページ数に対して、約１．５倍充電された状態が好ましい。また、充電前に、充分な電池容量があった場合には、デジタルコンテンツ転送終了後、直ちに準備完了を知らせるようにする。
【００４３】
なお、本発明の実施の形態での、ユーザーに対するデジタルコンテンツの提供は、ネットワーク等を介したコンテンツ提供装置からデジタルコンテンツをダウンロードすると共に、所定の電力提供を受けることで行われる。
次に、ダウンロードされたコンテンツの閲覧可能な回数の目安を本実施の形態の表示装置で表示する場合の例について説明する。
【００４４】
図８は、ダウンロードされたコンテンツの閲覧可能な回数の目安を本発明の第２の実施の形態における表示装置で表示する例を示した図である。
図８において、記憶性表示体２の上部にコンテンツの閲覧可能な回数の目安（表示値）を示したインジケータ１５が表示されている。
図９は、インジケータ１５の表示値を計算するための手順を示したフローチャートである。
【００４５】
図９において、例えば、データ通信Ｉ／Ｆ１３０及び充電回路１２０を備えたＵＳＢインターフェース２００が、パソコン等のコンテンツを提供可能な装置（不図示）のＵＳＢ端子と接続されると、データ記憶部１４０の文書データ記憶部１４１内のデータがクリアされ（ステップＵ１）、データ通信Ｉ／Ｆ１３０より、コンテンツデータのダウンロード（データ転送）が開始される（ステップＵ２）。このとき、同時に、充電回路１２０から二次電池１１０への充電も開始される。
【００４６】
次に、コンテンツデータのページ数を確認するため、転送データのヘッダ部の読み込みが行われる（ステップＵ３）。
転送データのヘッダ部の読み込みが完了すると、ページ数がセットされる（ステップＵ４）。
続いて、データ転送の終了を待って（ステップＵ５）、基本電力、即ち、ダウンロードされたコンテンツを全て表示するのに要する電力の計算が行われる（ステップＵ６）。計算式は以下、
基本電力＝（１ページ表示するのに必要な電力）×（ページ数）          （１）
続いて、充電量の読み込みが行われ（ステップＵ７）、コンテンツの表示回数（ページ数）が計算される（ステップＵ８）。計算式は以下、
コンテンツ表示回数＝（充電量）／（基本電力）                        （２）
これに基づいて、インジケータ１５にダウンロードされたコンテンツを何回表示できるかが表示される（ステップＵ９）。図８では、約０．８回表示される旨の表示がなされている。また、この例では、二次電池がフル充電された状態で、２０回表示が可能な例が示されている。
【００４７】
次に、フル充電になったかが検出され（ステップＵ１０）、フル充電になった状態で充電が終了される（ステップＵ１１）。
これにより、使用者は、フル充電になる以前に、インジケータ１５を見て必要な量だけ二次電池に充電を行うことができる。
以上述べたように、本発明の実施の形態によれば、コンテンツのページ数に応じて、充電容量を変えることで、充電に、必要以上の時間をかけることなく、かつ、電池切れを気にすることなく、安心してコンテンツを見る事が出来る。
【図面の簡単な説明】
【００４８】
【図１】本発明の第１の実施の形態に係る表示装置の概観を示す斜視図である。
【図２】本実施の形態で使用するメモリカードの構成を示した図である。
【図３】メモリと電池を一体としたメモリカードの種類の一例を示した図である。
【図４】第１の実施の形態に係る表示装置の構成を示したブロック図である。
【図５】本発明の第２の実施の形態に係る表示装置の構成を示したブロック図である。
【図６】表示装置６６に１つのコンテンツをダウンロードする場合の手順を示したフローチャートである。
【図７】表示装置６６に１つのコンテンツを追加してダウンロードする場合の手順を示したフローチャートである。
【図８】ダウンロードされたコンテンツを何回読めるかの目安を本発明の第２の実施の形態における表示装置で表示する例を示した図である。
【図９】インジケータ１５の表示値を計算するための手順を示したフローチャートである。
【符号の説明】
【００４９】
１  表示装置、１０，１０ａ，１０ｂ，１０ｃ  メモリカード、１１  不揮発性メモリ、１２  電池、１３  メモリＩ／Ｆ、１４  電極、１５  インジケータ、２０  メモリカードスロット、３０  ＣＰＵ、４０  プログラム記憶部、５０  ＲＡＭ、６０  グラフィックアクセラレータ、６６  表示装置、７０  表示駆動部、７１  画素書込部、７５  表示パネル、８０  操作キー群、９０  電源制御回路、１００  充電量監視部、１１０  二次電池、  １２０  充電回路、１３０  データ通信Ｉ／Ｆ、１４０  データ記憶部、１４１  文書データ記憶部、２００  ＵＳＢインターフェース
【図１】
2005202752.tif 000003
【図２】
2005202752.tif 000004
【図３】
2005202752.tif 000005
【図４】
2005202752.tif 000006
【図５】
2005202752.tif 000007
【図６】
2005202752.tif 000008
【図７】
2005202752.tif 000009
【図８】
2005202752.tif 000010
【図９】
2005202752.tif 000011